(57)【特許請求の範囲】
【請求項１】
第１入力信号と第２入力信号との大きさを比較し、比較結果に応答して第１出力信号を出力する第１差動増幅器と、
前記第１入力信号と基準電圧との大きさを比較し、比較結果に応答して第２出力信号を出力する第２差動増幅器と、
前記第２入力信号と前記基準電圧との大きさを比較し、比較結果に応答して第３出力信号を出力する第３差動増幅器と、を備え、
前記第１差動増幅器は、前記第１入力信号及び前記第２入力信号が印加されるトランジスタを前記第２差動増幅器及び前記第３差動増幅器と共有し、
前記第１差動増幅器は、
前記第１入力信号をゲートに受信して第１出力ノードに第１端が連結され、第１ノードに第２端が連結される第１トランジスタと、
前記第２入力信号をゲートに受信して第２出力ノードに第１端が連結され、第２ノードに第２端が連結される第２トランジスタと、を備え、
前記第１ノードと前記第２ノードとは第１制御信号に応答して連結される
ことを特徴とする入力バッファ。
【請求項２】
前記第１差動増幅器は、差動動作モードでのみ動作し、
前記第２差動増幅器及び前記第３差動増幅器は、単一動作モードでのみ動作する
ことを特徴とする請求項１に記載の入力バッファ。
【請求項３】
前記第１入力信号は、前記差動動作モードで前記第２入力信号と反対位相を有する信号であり、前記単一動作モードで前記第１入力信号と前記第２入力信号とは相異なる信号である
ことを特徴とする請求項２に記載の入力バッファ。
【請求項４】
前記第１差動増幅器は、
第５ノードと接地電圧間に連結される電流源と、
前記第１制御信号に応答して前記第１ノードと前記第５ノードとを連結する第１スイッチと、
前記第１制御信号に応答して前記第２ノードと前記第５ノードとを連結する第２スイッチと、をさらに備える
ことを特徴とする請求項１に記載の入力バッファ。
【請求項５】
前記第２差動増幅器は、
前記第１トランジスタと、
前記基準電圧をゲートに受信して第３出力ノードに第１端が連結され、第３ノードに第２端が連結される第３トランジスタと、を備え、
前記第１ノードと前記第３ノードとは第２制御信号に応答して連結される
ことを特徴とする請求項１に記載の入力バッファ。
【請求項６】
前記第２差動増幅器は、
第６ノードと接地電圧間に連結される電流源と、
前記第２制御信号に応答して前記第３ノードと前記第６ノードとを連結する第３スイッチと、
前記第２制御信号に応答して前記第１ノードと前記第６ノードとを連結する第４スイッチと、をさらに備える
ことを特徴とする請求項５に記載の入力バッファ。
【請求項７】
前記第３差動増幅器は、
前記第２トランジスタと、
前記基準電圧をゲートに受信して第４出力ノードに第１端が連結され、第４ノードに第２端が連結される第４トランジスタと、を備え、
前記第２ノードと前記第４ノードとは第２制御信号に応答して連結される
ことを特徴とする請求項１に記載の入力バッファ。
【請求項８】
前記第３差動増幅器は、
第７ノードと接地電圧間に連結される電流源と、
前記第２制御信号に応答して前記第２ノードと前記第７ノードとを連結する第５スイッチと、
前記第２制御信号に応答して前記第４ノードと前記第７ノードとを連結する第６スイッチと、をさらに備える
ことを特徴とする請求項７に記載の入力バッファ。
【請求項９】
前記第１制御信号は、前記差動動作モードで発生し、
前記第２制御信号は、前記単一動作モードで発生する
ことを特徴とする請求項８に記載の入力バッファ。
【請求項１０】
第１入力信号をゲートに受信して第１出力ノードに第１端が連結され、第１ノードに第２端が連結される第１トランジスタと、
第２入力信号をゲートに受信して第２出力ノードに第１端が連結され、第２ノードに第２端が連結される第２トランジスタと、
基準電圧をゲートに受信して第３出力ノードに第１端が連結され、第３ノードに第２端が連結される第３トランジスタと、
前記基準電圧をゲートに受信して第４出力ノードに第１端が連結され、第４ノードに第２端が連結される第４トランジスタと、を備えて、
第１制御信号に応答して前記第１トランジスタ及び前記第２トランジスタが第１差動増幅器を構成し、
第２制御信号に応答して前記第１トランジスタ及び前記第３トランジスタが第２差動増幅器を構成し、
前記第２制御信号に応答して前記第２トランジスタ及び前記第４トランジスタが第３差動増幅器を構成する
ことを特徴とする入力バッファ。
【請求項１１】
前記第１制御信号に応答して前記第１ノードと前記第２ノードとが連結され、前記第２制御信号に応答して前記第１ノードと第３ノードとが連結され、前記第２制御信号に応答して前記第２ノードと前記第４ノードとが連結される
ことを特徴とする請求項１０に記載の入力バッファ。
【請求項１２】
前記第１差動増幅器は、差動動作モードでのみ動作し、
前記第２差動増幅器及び前記第３差動増幅器は、単一動作モードでのみ動作する
ことを特徴とする請求項１０に記載の入力バッファ。
【請求項１３】
前記第１入力信号は、
前記差動動作モードで前記第２入力信号と反対位相を有する信号であり、
前記単一動作モードで前記第１入力信号と前記第２入力信号とは相異なる信号である
ことを特徴とする請求項１２に記載の入力バッファ。
【請求項１４】
前記差動動作モードは、
前記第１入力信号と前記第２入力信号との大きさを比較し、比較結果を増幅して出力する動作モードであり、
前記単一動作モードは、
前記第１入力信号と前記基準電圧との大きさを比較して比較結果を増幅した信号と、前記第２入力信号と前記基準電圧との大きさを比較して比較結果を増幅した信号と、を出力する動作モードである
ことを特徴とする請求項１３に記載の入力バッファ。
【請求項１５】
前記第１差動増幅器は、
前記第１ノードと接地電圧間に連結される第１電流源と、
前記第２ノードと前記接地電圧間に連結される第２電流源と、
前記第１制御信号に応答して前記第１ノードと前記第２ノードとを連結する第１スイッチと、をさらに備える
ことを特徴とする請求項１０に記載の入力バッファ。
【請求項１６】
前記第２差動増幅器は、
前記第１電流源と、
前記第３ノードと前記接地電圧間に連結される第３電流源と、
前記第２制御信号に応答して前記第１ノードと前記第３ノードとを連結する第２スイッチと、をさらに備える
ことを特徴とする請求項１５に記載の入力バッファ。
【請求項１７】
前記第３差動増幅器は、
前記第２電流源と、
前記第４ノードと前記接地電圧間に連結される第４電流源と、
前記第２制御信号に応答して前記第２ノードと前記第４ノードとを連結する第３スイッチと、をさらに備える
ことを特徴とする請求項１５に記載の入力バッファ。
【請求項１８】
前記第１制御信号は、前記差動動作モードで発生し、
前記第２制御信号は、前記単一動作モードで発生する
ことを特徴とする請求項１０に記載の入力バッファ。
【発明の詳細な説明】
【技術分野】
【０００１】
本発明は入力バッファに係り、特に入力バッファに印加される入力信号の入力キャパシタンスを減らせる入力バッファに関する。
【背景技術】
【０００２】
入力バッファに入力される信号は差動入力信号と単一入力信号とに分けられる。差動入力信号は互いに反対位相を有する２つの信号が一対になって入力バッファに印加される。一方、単一入力信号は１つの信号のみを備える。
【０００３】
２つの信号が入力バッファに印加される場合、必要によって２つの信号を差動入力信号として受信して出力する動作、または、単一入力信号として受信して出力する動作中の１つを選択しうるならば様々な利得を得られる場合がある。
【０００４】
図１は２つの信号を差動入力信号または単一入力信号として選択しうる入力バッファを説明する図面である。
図１を参照すれば入力バッファ１００は、３つの差動増幅器１１０、１２０及び１３０を備える。入力される２つの信号ＩＮ及びＩＮＢが差動入力信号であれば第１差動増幅器１１０だけ動作する。
【０００５】
すなわち、第１差動増幅器１１０は２つの入力信号ＩＮとＩＮＢとの大きさを比較、増幅して出力信号ＶＯ１を出力する。入力される２つの信号ＩＮ及びＩＮＢが単一入力信号であれば、すなわち相異なる位相及びデータを有する信号であれば第２差動増幅器１２０及び第３差動増幅器１３０が動作する。
【０００６】
第２差動増幅器１２０及び第３差動増幅器１３０は、それぞれ入力信号ＩＮ及びＩＮＢと基準電圧ＶＲＥＦとの大きさを比較、増幅して出力信号ＶＯ２及びＶＯ３を出力する。
【０００７】
図２は図１の入力バッファの動作を説明するための回路図である。
図３は差動入力信号及び単一入力信号を説明する図面である。
差動入力信号は図３の（１）に、単一入力信号は図３の（２）にそれぞれ示されている。図３の（１）を参照すれば、差動入力信号は２つの信号が互いに反対位相を有することが分かる。
図３の（２）を参照すれば、単一入力信号は２つの信号が相異なる信号であることが分かる。すなわち、２つの信号は位相やデータにおいて互いに何の関連もない。
【０００８】
図２の２１０は図１の第１差動増幅器１１０に、２２０は図１の第２差動増幅器１２０に、２３０は図１の第３差動増幅器１３０に、それぞれ対応する。
【０００９】
入力される２つの信号ＩＮ及びＩＮＢが差動入力信号であれば、第１差動増幅器２１０の第１スイッチＳＷ１のみが連結されて第１差動増幅器２１０のみが動作する。すなわち、第１差動増幅器２１０は２つの入力信号ＩＮとＩＮＢとの大きさを比較、増幅して出力信号ＶＯ１を出力する。
【００１０】
入力される２つの信号ＩＮ及びＩＮＢが単一入力信号であれば、すなわち相異なる位相及びデータを有する信号であれば第２差動増幅器２２０及び第３差動増幅器２３０の第２スイッチＳＷ２及び第３スイッチＳＷ３が動作する。
【００１１】
第２差動増幅器２２０及び第３差動増幅器２３０は、それぞれ入力信号ＩＮ及びＩＮＢと基準電圧ＶＲＥＦとの大きさを比較、増幅して出力信号ＶＯ２及びＶＯ３を出力する。
【００１２】
ところが、図２の入力バッファ２００では、入力信号ＩＮはトランジスタＴＲ１及びＴＲ４に印加され、入力信号ＩＮＢはトランジスタＴＲ２及びＴＲ５に印加される。
【００１３】
従って、入力キャパシタンスが２倍となり、入力信号ＩＮ及びＩＮＢが差動入力信号である場合や単一入力信号である場合の全てに対して入力バッファ２００の高速動作に悪い影響を与える問題がある。
【発明の開示】
【発明が解決しようとする課題】
【００１４】
本発明が解決しようとする技術的課題は、入力信号の入力キャパシタンスを減らして差動入力信号と単一入力信号とを必要に応じて選択しうる入力バッファを提供するところにある。
【課題を解決するための手段】
【００１５】
前記技術的課題を達成するための本発明の第１実施形態による入力バッファは、第１差動増幅器、第２差動増幅器及び第３差動増幅器を備える。
【００１６】
第１差動増幅器は、第１入力信号と第２入力信号との大きさを比較し、比較結果に応答して第１出力信号を出力する。第２差動増幅器は、前記第１入力信号と基準電圧との大きさを比較し、比較結果に応答して第２出力信号を出力する。
【００１７】
第３差動増幅器は、前記第２入力信号と前記基準電圧との大きさを比較し、比較結果に応答して第３出力信号を出力する。前記第１差動増幅器は、前記第１入力信号及び前記第２入力信号が印加されるトランジスタを前記第２差動増幅器及び前記第３差動増幅器と共有する。
【００１８】
前記第１差動増幅器は差動動作モードでのみ動作し、前記第２差動増幅器及び前記第３差動増幅器は単一動作モードでのみ動作する。
【００１９】
前記第１入力信号は前記差動動作モードで前記第２入力信号と反対位相を有する信号であり、前記単一動作モードで前記第１入力信号と前記第２入力信号とは相異なる信号である。
【００２０】
前記第１差動増幅器は、前記第１入力信号をゲートに受信して第１出力ノードに第１端が連結され、第１ノードに第２端が連結される第１トランジスタと、前記第２入力信号をゲートに受信して第２出力ノードに第１端が連結され、第２ノードに第２端が連結される第２トランジスタと、を備え、前記第１ノードと前記第２ノードとは第１制御信号に応答して連結される。
【００２１】
前記第１差動増幅器は、第５ノードと接地電圧間に連結される電流源と、前記第１制御信号に応答して前記第１ノードと前記第５ノードとを連結する第１スイッチと、前記第１制御信号に応答して前記第２ノードと前記第５ノードとを連結する第２スイッチと、をさらに備える。
【００２２】
前記第２差動増幅器は、前記第１トランジスタ及び前記基準電圧をゲートに受信して第３出力ノードに第１端が連結され、第３ノードに第２端が連結される第３トランジスタを備え、前記第１ノードと前記第３ノードとは第２制御信号に応答して連結される。
【００２３】
前記第２差動増幅器は、第６ノードと接地電圧間に連結される電流源と、前記第２制御信号に応答して前記第３ノードと前記第６ノードとを連結する第３スイッチと、前記第２制御信号に応答して前記第１ノードと前記第６ノードとを連結する第４スイッチと、をさらに備える。
【００２４】
前記第３差動増幅器は、前記第２トランジスタ及び前記基準電圧をゲートに受信して第４出力ノードに第１端が連結され、第４ノードに第２端が連結される第４トランジスタを備えて、前記第２ノードと前記第４ノードとは第２制御信号に応答して連結される。
【００２５】
前記第３差動増幅器は、第７ノードと接地電圧間に連結される電流源と、前記第２制御信号に応答して前記第２ノードと前記第７ノードとを連結する第５スイッチと、前記第２制御信号に応答して前記第４ノードと前記第７ノードとを連結する第６スイッチと、をさらに備える。
【００２６】
前記第１制御信号は前記差動動作モードで発生し、前記第２制御信号は前記単一動作モードで発生する。
【００２７】
前記技術的課題を達成するための本発明の第２実施形態による入力バッファは第１乃至第４トランジスタを備える。
第１トランジスタは、第１入力信号をゲートに受信して第１出力ノードに第１端が連結され、第１ノードに第２端が連結される。第２トランジスタは、第２入力信号をゲートに受信して第２出力ノードに第１端が連結され、第２ノードに第２端が連結される。
【００２８】
第３トランジスタは、基準電圧をゲートに受信して第３出力ノードに第１端が連結され、第３ノードに第２端が連結される。第４トランジスタは、前記基準電圧をゲートに受信して第４出力ノードに第１端が連結され、第４ノードに第２端が連結される。
【００２９】
第１制御信号に応答して前記第１トランジスタと前記第２トランジスタとが第１差動増幅器を、第２制御信号に応答して前記第１トランジスタと前記第３トランジスタとが第２差動増幅器を、前記第２制御信号に応答して前記第２トランジスタと前記第４トランジスタとが第３差動増幅器を、それぞれ構成する。
【００３０】
前記第１制御信号に応答して前記第１ノードと前記第２ノードとが、前記第２制御信号に応答して前記第１ノードと第３ノードとが、前記第２制御信号に応答して前記第２ノードと前記第４ノードとが、それぞれ連結される。
【発明の効果】
【００３１】
本発明による入力バッファは、差動入力信号及び単一入力信号を全て受信して出力でき、また入力信号の入力キャパシタンスを減らせる長所がある。
【発明を実施するための最良の形態】
【００３２】
本発明と本発明の動作上の利点及び本発明の実施によって達成される目的を十分に理解するためには、本発明の望ましい実施形態を例示する添付図面及び該添付図面に基づいて為される説明を参照せねばならない。
【００３３】
以下、添付した図面を参照して本発明の望ましい実施形態を説明する。各図面に提示された同じ参照符号は同じ部材を示す。
【００３４】
図４は本発明の実施形態による入力バッファを示す回路図である。
図４を参照すれば、入力バッファ４００は第１差動増幅器４１０、第２差動増幅器４２０、及び第３差動増幅器４３０を備える。
【００３５】
第１差動増幅器４１０は、第１入力信号ＩＮ１と第２入力信号ＩＮ２との大きさを比較し、比較結果に応答して第１出力信号ＶＯ１を出力する。第１差動増幅器４１０は第１トランジスタＴＲ１及び第２トランジスタＴＲ２を備える。
【００３６】
第１トランジスタＴＲ１は、第１入力信号ＩＮ１をゲートに受信して第１出力ノードＮＯＵＴ１に第１端が連結され、第１ノードＮ１に第２端が連結される。第２トランジスタＴＲ２は、第２入力信号ＩＮ２をゲートに受信して第２出力ノードＮＯＵＴ２に第１端が連結され、第２ノードＮ２に第２端が連結される。
【００３７】
第１ノードＮ１と第２ノードＮ２とは第１制御信号ＣＴＲＬＳ１に応答して連結される。第１差動増幅器４１０は、第５ノードＮ５と接地電圧ＶＳＳ間に連結される電流源ＩＳ１と、第１制御信号ＣＴＲＬＳ１に応答して第１ノードＮ１と第５ノードＮ５とを連結する第１スイッチＳＷ１と、第１制御信号ＣＴＲＬＳ１に応答して第２ノードＮ２と第５ノードＮ５とを連結する第２スイッチＳＷ２と、をさらに備える。
【００３８】
図４の入力バッファ４００の構造を説明すれば、第１差動増幅器４１０は第１入力信号ＩＮ１及び第２入力信号ＩＮ２が印加される第１及び第２トランジスタＴＲ１及びＴＲ２を第２差動増幅器４２０及び第３差動増幅器４３０と共有する。
【００３９】
すなわち、第２差動増幅器４２０は第１差動増幅器４１０と第１トランジスタＴＲ１を共有する。そして、第３トランジスタＴＲ３を備える。
【００４０】
第３トランジスタＴＲ３は、基準電圧ＶＲＥＦをゲートに受信して第３出力ノードＮＯＵＴ３に第１端が連結され、第３ノードＮ３に第２端が連結される。第１ノードＮ１と第３ノードＮ３とは第２制御信号ＣＴＲＬＳ２に応答して連結される。
【００４１】
第２差動増幅器４２０は、第６ノードＮ６と接地電圧ＶＳＳ間に連結される電流源ＩＳ２と、第２制御信号ＣＴＲＬＳ２に応答して第３ノードＮ３と第６ノードＮ６とを連結する第３スイッチＳＷ３と、第２制御信号ＣＴＲＬＳ２に応答して第１ノードＮ１と第６ノードＮ６とを連結する第４スイッチＳＷ４と、をさらに備える。
【００４２】
第３差動増幅器４３０は、第１差動増幅器４１０と第２トランジスタＴＲ２を共有する。そして、第４トランジスタＴＲ４を備える。第４トランジスタＴＲ４は、基準電圧ＶＲＥＦをゲートに受信して第４出力ノードＮＯＵＴ４に第１端が連結され、第４ノードＮ４に第２端が連結される。
【００４３】
第２ノードＮ２と第４ノードＮ４とは第２制御信号ＣＴＲＬＳ２に応答して連結される。
【００４４】
第３差動増幅器４３０は、第７ノードＮ７と接地電圧ＶＳＳ間に連結される電流源ＩＳ３と、第２制御信号ＣＴＲＬＳ２に応答して第２ノードＮ２と第７ノードＮ７とを連結する第５スイッチＳＷ５と、第２制御信号ＣＴＲＬＳ２に応答して第４ノードＮ４と第７ノードＮ７とを連結する第６スイッチＳＷ６と、をさらに備える。
【００４５】
第１入力信号ＩＮ１は差動動作モードで第２入力信号ＩＮ２と反対位相を有する信号である。差動動作モードでは第１差動増幅器４１０のみが動作する。すなわち、第１制御信号ＣＴＲＬＳ１に応答して第１スイッチＳＷ１と第２スイッチＳＷ２とが連結される。
【００４６】
それにより第１ノードＮ１及び第２ノードＮ２は全て第５ノードＮ５に連結され、第１トランジスタＴＲ１及び第２トランジスタＴＲ２は第１差動増幅器４１０のみに利用される。第１差動増幅器４１０は第１入力信号ＩＮ１と第２入力信号ＩＮ２との大きさを比較し、その結果を増幅して第１出力信号ＶＯ１を出力する。
【００４７】
単一動作モードで、第１入力信号ＩＮ１と第２入力信号ＩＮ２とは相異なる信号である。すなわち互いに位相やデータ値において何の関連もない。
【００４８】
単一動作モードでは、第１差動増幅器４１０を除外した第２差動増幅器４２０及び第３差動増幅器４３０のみが動作する。すなわち、第２制御信号ＣＴＲＬＳ２に応答して第３スイッチＳＷ３と第４スイッチＳＷ４、第５スイッチＳＷ５と第６スイッチＳＷ６が連結される。
【００４９】
第２差動増幅器４２０は第１トランジスタＴＲ１及び第３トランジスタＴＲ３を備え、第３差動増幅器４３０は第２トランジスタＴＲ２及び第４トランジスタＴＲ４を備える。
【００５０】
第２差動増幅器４２０は第１入力信号ＩＮ１と基準電圧ＶＲＥＦとの大きさを比較し、その結果を増幅して第２出力信号ＶＯ２を出力する。第３差動増幅器４３０は第２入力信号ＩＮ２と基準電圧ＶＲＥＦとの大きさを比較し、その結果を増幅して第３出力信号ＶＯ３を出力する。
【００５１】
図４の入力バッファ４００は受信される入力信号ＩＮ１及びＩＮ２が差動入力信号であれば第１差動増幅器４１０だけを利用して第１出力信号ＶＯ１を出力し、受信される入力信号ＩＮ１及びＩＮ２が単一入力信号であれば第２差動増幅器４２０及び第３差動増幅器４３０を利用して第２出力信号ＶＯ２及び第３出力信号ＶＯ３を発生させる。
【００５２】
すなわち、受信される入力信号ＩＮ１及びＩＮ２の種類によって差動動作モードや単一動作モードの両方で動作しうる。
【００５３】
この場合、図４の入力バッファ４００は図２の入力バッファ２００とは違って、第１入力信号ＩＮは第１トランジスタＴＲ１にのみ受信して第２入力信号ＩＮＢは第２トランジスタＴＲ２にのみ受信する。従って、入力信号ＩＮ１及びＩＮ２の入力キャパシタンスを減らせる。
【００５４】
図４の入力バッファ４００のように、第１トランジスタＴＲ１を第１差動増幅器４１０と第２差動増幅器４２０とが共有して第２トランジスタＴＲ２を第１差動増幅器４１０と第３差動増幅器４３０とが共有すれば、第１及び第２入力信号ＩＮ１及びＩＮ２の入力キャパシタンスが図２の入力バッファ２００に比べて減る。
【００５５】
図５は本発明の他の実施形態による入力バッファを示す回路図である。
図５の入力バッファ５００を参照すれば、入力バッファ５００は第１乃至第４トランジスタＴＲ１、ＴＲ２、ＴＲ３及びＴＲ４を備える。
【００５６】
第１トランジスタＴＲ１は、第１入力信号ＩＮ１をゲートに受信して第１出力ノードＮＯＵＴ１に第１端が連結され、第１ノードＮ１に第２端が連結される。第２トランジスタＴＲ２は、第２入力信号ＩＮ２をゲートに受信して第２出力ノードＮＯＵＴ２に第１端が連結され、第２ノードＮ２に第２端が連結される。
【００５７】
第３トランジスタＴＲ３は、基準電圧ＶＲＥＦをゲートに受信して第３出力ノードＮＯＵＴ３に第１端が連結され、第３ノードＮ３に第２端が連結される。第４トランジスタＴＲ４は、基準電圧ＶＲＥＦをゲートに受信して第４出力ノードＮＯＵＴ４に第１端が連結され、第４ノードＮ４に第２端が連結される。
【００５８】
第１制御信号ＣＴＲＬＳ１に応答して第１トランジスタＴＲ１と第２トランジスタＴＲ２とが第１差動増幅器５１０を構成する。第２制御信号ＣＴＲＬＳ２に応答して第１トランジスタＴＲ１と第３トランジスタＴＲ３とが第２差動増幅器５２０を構成する。
【００５９】
第２制御信号ＣＴＲＬＳ２に応答して第２トランジスタＴＲ２と第４トランジスタＴＲ４とが第３差動増幅器５３０を構成する。
【００６０】
第１制御信号ＣＴＲＬＳ１に応答して第１ノードＮ１と第２ノードＮ２とが連結される。第２制御信号ＣＴＲＬＳ２に応答して第１ノードＮ１と第３ノードＮ３とが連結され、第２制御信号ＣＴＲＬＳ２に応答して第２ノードＮ２と第４ノードＮ４とが連結される。
【００６１】
図５の入力バッファ５００は図４の入力バッファ４００とは違って、第１ノードＮ１と第２ノードとを第１スイッチＳＷ１を利用して直接連結する。図４の入力バッファ４００では第１ノードＮ１と第２ノードＮ２とを連結するために第１スイッチＳＷ１及び第２スイッチＳＷ２を用いる。
【００６２】
図４の入力バッファ４００は第１ノードＮ１と第２ノードＮ２とを連結するために第１スイッチＳＷ１及び第２スイッチＳＷ２を用いるが、図５の入力バッファ５００は第１ノードＮ１と第２ノードＮ２とを連結するために第１スイッチＳＷ１のみを用いる。
【００６３】
従って、図５の第１差動増幅器５１０は図４の第１差動増幅器４１０よりスイッチによる電圧降下を減らせる。
【００６４】
同様に、図４の入力バッファ４００は第１ノードＮ１と第３ノードＮ３とを連結するために第３スイッチＳＷ３及び第４スイッチＳＷ４を用いるが、図５の入力バッファ５００は第１ノードＮ１と第３ノードＮ３とを連結するために第２スイッチＳＷ２のみを用いる。
【００６５】
従って、図５の第２差動増幅器５２０は図４の第２差動増幅器４２０よりスイッチによる電圧降下を減らせる。
【００６６】
そして、図４の入力バッファ４００は第２ノードＮ２と第４ノードＮ４とを連結するために第５スイッチＳＷ５及び第６スイッチＳＷ６を用いるが、図５の入力バッファ５００は第２ノードＮ２と第４ノードＮ４とを連結するために第３スイッチＳＷ３のみを用いる。
【００６７】
従って、図５の第３差動増幅器５３０は図４の第３差動増幅器４２０よりスイッチによる電圧降下を減らせる。
【００６８】
図５の入力バッファ５００は第１乃至第４ノードＮ１、Ｎ２、Ｎ３及びＮ４を連結するスイッチＳＷ１、ＳＷ２及びＳＷ３の連結構造が第４の入力バッファ４００と異なる点を除けば、図５の第１乃至第３差動増幅器５１０、５２０及び５３０の構造は図４の第１乃至第３差動増幅器４１０、４２０及び４３０の構造と同一である。従って詳細な説明は省く。
【００６９】
以上のように、図面と明細書で最適の実施形態が開示された。ここで特定の用語が使われたが、これは単に本発明を説明するための目的で使われたものであり、意味限定や特許請求の範囲に記載された本発明の範囲を制限するために使われたものではない。従って、当業者であればこれより多様な変形及び均等な他の実施形態が可能であるという点は理解できるであろう。よって、本発明の真の技術的な保護範囲は特許請求の範囲の技術的思想によって決められなければならない。
【産業上の利用可能性】
【００７０】
本発明は、半導体メモリ装置分野で用いられ、特に半導体メモリ装置の入力バッファ回路に用いられる。
【図面の簡単な説明】
【００７１】
【図１】２つの信号を差動入力信号または単一入力信号として選択しうる入力バッファを説明する図面である。
【図２】図１の入力バッファの動作を説明するための回路図である。
【図３】差動入力信号及び単一入力信号を説明する図面である。
【図４】本発明の実施形態による入力バッファを示す回路図である。
【図５】本発明の他の実施形態による入力バッファを示す回路図である。
【符号の説明】
【００７２】
４００  入力バッファ
４１０  第１差動増幅器
４２０  第２差動増幅器
４３０  第３差動増幅器
ＣＴＲＬＳ１  第１制御信号
ＣＴＲＬＳ２  第２制御信号
ＩＮ１  第１入力信号
ＩＮ２  第２入力信号
ＩＳ１~ＩＳ３  電流源
Ｎ１~Ｎ７  第１乃至第７ノード
ＮＯＵＴ１~ＮＯＵＴ４  第１乃至第４出力ノード
ＳＷ１~ＳＷ６  第１乃至第６スイッチ
ＴＲ１~ＴＲ４  第１乃至第４トランジスタ
ＶＯ１~ＶＯ３  第１乃至第３出力信号
ＶＲＥＦ  基準電圧
ＶＳＳ  接地電圧
【図１】
0004685396.tif 000002
【図２】
0004685396.tif 000003
【図３】
0004685396.tif 000004
【図４】
0004685396.tif 000005
【図５】
0004685396.tif 000006